(57)【要約】【課題】印刷されていない画像データがある場合、直ぐに印刷できる場所において、ユーザに対して通知を行うことにより、画像の印刷を促進させることを目的とする。【解決手段】ネットワークを介して少なくとも１台以上の画像処理装置と通信可能な端末装置であって、個人情報を読み取る個人情報読み取り手段と、ユーザ毎に画像を管理する画像管理手段に、個人情報読み取り手段が読み取った個人情報に対応するユーザに係る未印刷画像が存在する場合、未印刷画像があることをユーザに通知する通知手段と、を有することによって前記課題を解決する。【選択図】図５
2007243319.tif 000002
【特許請求の範囲】
【請求項１】
ネットワークを介して少なくとも１台以上の画像処理装置と通信可能な端末装置であって、
個人情報を読み取る個人情報読み取り手段と、
ユーザ毎に画像を管理する画像管理手段に、前記個人情報読み取り手段が読み取った前記個人情報に対応するユーザに係る未印刷画像が存在する場合、未印刷画像があることをユーザに通知する通知手段と、
を有することを特徴とする端末装置。
【請求項２】
前記個人情報に対応するユーザに係る未印刷画像が存在する場合、前記画像処理装置に対して画像処理が可能か否か問い合わせを行なう問い合わせ手段を更に有し、
前記通知手段は、前記問い合わせ手段における問い合わせの結果、画像処理が可能な前記画像処理装置が存在する場合、未印刷画像があることをユーザに通知することを特徴とする請求項１に記載の端末装置。
【請求項３】
前記個人情報読み取り手段は、携帯端末装置より個人情報を読み取ることを特徴とする請求項１又は２に記載の端末装置。
【請求項４】
前記通知手段は、前記携帯端末装置に、未印刷画像があることを示す情報を送信し、未印刷画像があることをユーザに通知することを特徴とする請求項３に記載の端末装置。
【請求項５】
画面を表示する画面表示手段を更に有し、
前記通知手段は、前記画面に未印刷画像があることを表示してユーザに通知することを特徴とする請求項１又は２に記載の端末装置。
【請求項６】
前記画像管理手段とは、ネットワークを介して接続されており、
前記管理手段に、前記個人情報読み取り手段が読み取った前記個人情報に対応するユーザに係る未印刷画像が存在する場合、前記ネットワークを介して、前記画像管理手段より、前記未印刷画像を受信する受信手段を更に有することを特徴とする請求項１乃至５の何れか１項に記載の端末装置。
【請求項７】
前記画像管理手段とは、無線通信を介して接続されており、
前記管理手段に、前記個人情報読み取り手段が読み取った前記個人情報に対応するユーザに係る未印刷画像が存在する場合、前記無線通信を介して、前記画像管理手段より、前記未印刷画像を受信する受信手段を更に有することを特徴とする請求項１乃至５の何れか１項に記載の端末装置。
【請求項８】
ネットワークを介して少なくとも１台以上の画像処理装置と通信可能な端末装置における通知方法であって、
個人情報を読み取る個人情報読み取りステップと、
ユーザ毎に画像を管理する画像管理手段に、前記個人情報読み取りステップにおいて読み取った前記個人情報に対応するユーザに係る未印刷画像が存在する場合、未印刷画像があることをユーザに通知する通知ステップと、
を有することを特徴とする通知方法。
【請求項９】
請求項８に記載の通知方法をコンピュータに実行させることを特徴とするプログラム。
【請求項１０】
請求項９に記載のプログラムを記憶したコンピュータ読み取り可能な記憶媒体。
【発明の詳細な説明】
【技術分野】
【０００１】
本発明は、端末装置及び通知方法に関する。
【背景技術】
【０００２】
近年、デジタルカメラ等を用いて撮影したデジタル写真データをプリントするために、ネットワークプリントサービスがある。ネットワークプリントサービスにおけるシステムでは、顧客（プリントサービス利用者）が使用する端末（パソコン等）を含む。また、前記システムは、プリント装置が接続された複数のプリント端末（コンビニエンスストアに設置されるキオスク端末等）を含む。更に、前記システムは、顧客端末及びプリント端末にネットワークを介して接続された画像サーバを含む。
【０００３】
ネットワークプリントサービスでは、顧客はデジタルカメラで撮影した画像データを、顧客端末から画像サーバにアップロードする。次に、顧客は任意のプリント端末からアップロードした画像データのプリント出力を得る。また、ネットワークプリントサービスでは、インターネット上のサーバに画像データを保存しておき、そこでプリント依頼することによって、顧客は後日宅配便でプリント画像を受け取ることが可能である。更に、顧客が、指定したコンビニエンスストアで受け取ったりすることが可能な画像サービス（サイト）も提供されている。
【０００４】
ネットワークプリントサービスの利点は、顧客が自宅のパソコンに保存されている画像を近隣のコンビニエンスストアやプリントショップに設置してある高性能なプリンタで出力できることである。
【０００５】
ネットワークプリントサービスを発展させたものとして、特許文献１にプリントシステム及びプリント受注システムが提案されている。特許文献１に開示された技術では、まず顧客がデジタルカメラ等で撮影した画像データを画像サーバにアップロードする。次に、その顧客が指定した任意の受取人が画像サーバから画像データをダウンロードし、プリントすることができる。
【０００６】
このシステムでは、画像入力端末で入力された画像データは、その画像に対する識別子、パスワード等と共に、画像入力者が指定したプリント端末に伝送される。プリント受取人はプリント端末に対してＩＤと、パスワードとを入力することにより、画像入力者が入力した画像データを印刷したものを入手する。ネットワークには通知サーバが接続され、予め画像入力時に、プリント受取人の電話番号・メールアドレス・住所を登録しておくと、通知サーバは入力された電話番号・メールアドレスに対して、識別ＩＤ、パスワード等を通知することが可能である。
【０００７】
【特許文献１】特開２００１−２９０６１９号公報
【発明の開示】
【発明が解決しようとする課題】
【０００８】
しかしながら、特許文献１に開示された技術では、プリンタの場所如何に関わらず画像が入力された時点で受取人に通知が行われるため、印刷するためには、コンビニエンスストアやプリントショップ等プリント装置のあるサービス店舗を探さなくてならない。プリント出力を早急に取得したいと思っていた場合、顧客にとって利便性が良くないという問題があった。
【０００９】
また、顧客がサービス拠点に出向く時間を確保できない、若しくは印刷データがあることを顧客が忘れてしまった場合、印刷データが印刷されないままの状態になる可能性がある。この場合、印刷料金等のサービス使用料金の回収が行えなくなるという問題がある。
【００１０】
本発明は前記の問題点に鑑みなされたもので、印刷されていない画像データがある場合、直ぐに印刷できる場所において、ユーザに対して通知を行うことにより、画像の印刷を促進させることを目的とする。
【課題を解決するための手段】
【００１１】
そこで、前記問題を解決するため、本発明は、ネットワークを介して少なくとも１台以上の画像処理装置と通信可能な端末装置であって、個人情報を読み取る個人情報読み取り手段と、ユーザ毎に画像を管理する画像管理手段に、前記個人情報読み取り手段が読み取った前記個人情報に対応するユーザに係る未印刷画像が存在する場合、未印刷画像があることをユーザに通知する通知手段と、を有することを特徴とする。
【００１２】
また、前記問題を解決するため、本発明は、通知方法、プログラム及び記憶媒体としてもよい。
【発明の効果】
【００１３】
本発明によれば、印刷されていない画像データがある場合、直ぐに印刷できる場所において、ユーザに対して通知を行うことにより、画像の印刷を促進させることができる。
【発明を実施するための最良の形態】
【００１４】
以下、本発明の実施形態について図面に基づいて説明する。
【００１５】
（実施形態１）
図１は、実施形態１のプリント通知サービスシステムの一例を示すブロック図である。プリント通知サービスシステムは、店舗端末１１０と、プリント装置１２０〜１２ｎと、ネットワーク１３０、１４０、１５０と、携帯端末１６０と、画像サーバ１７０とを含む。また、プリント通知サービスシステムは、認証データベース１７１と、画像データベース１７２と、顧客端末１８０とを含む。
【００１６】
店舗端末１１０は、通信部と、個人情報読み取り部とを有する端末であり、例えば、銀行に設置されているＡＴＭや、コンビニエンスストアに設置されている電子レジスタ等のことである。
【００１７】
図２は、店舗端末１１０の内部構造の一例を示す図である。店舗端末１００は、ＣＰＵ２０１を備え、ＲＯＭ２０２に記憶されたデバイス制御ソフトウェア（デバイス制御プログラム）を実行する。２０３はＲＡＭでＣＰＵ２００の主メモリ、ワークエリアとして機能する。２０４は無線通信を行う無線通信部である。
【００１８】
２０５はネットワークインタフェースカード（ＮＩＣ）で、ＬＡＮを介して、ネットワークプリンタ、他のネットワーク機器、或いは他のＰＣと双方向のデータのやり取りを行う。２０６はＬＣＤ等の表示部で、顧客に通知を行う。２０７はタッチパネルである。個人情報読み取り部２０８は、携帯端末１６０、ＩＣカード、磁気カード等に書き込まれている情報を読み取る装置である。
【００１９】
プリント装置１２０〜１２ｎは、デジタル画像情報の印刷を行う部を持ち、店舗端末１１０と同一店舗Ａ内に１又は複数存在する。図１では、３個のプリント装置１２０〜１２ｎが記載されているが、３個には限らない。
【００２０】
ネットワーク１３０〜１５０はそれぞれＬＡＮ等の近距離通信ネットワーク、無線通信ネットワーク、インターネット等の広域ネットワークである。
【００２１】
携帯端末１６０は無線通信機能と、電子マネー機能とを有し、店頭に置かれた店舗端末１１０との間で電子決済や本人認証を行う機能を持つ。本人認証情報とは例えば、顧客ＩＤ、ＩＣカード情報、電話番号、メールアドレス等のことである。また、携帯端末１６０は常に電源を入れて持ち運ぶ携帯端末機で、無線通信可能な携帯電話端末を示す。
【００２２】
画像サーバ１７０は、インターネットとの通信部を持ち、認証データベース１７１と画像データベース１７２とを保有している。認証データベース１７１は、顧客管理テーブルを備え、顧客ごとに画像データベース１７２に対してアクセスできる領域を管理する。
【００２３】
図３は、顧客管理テーブルの一例を示す図である。図３に示されるように、顧客管理テーブルは、少なくとも顧客ＩＤ、顧客認証情報、参照先画像管理テーブルＩＤを含んで構成されている。顧客認証情報には、パスワード、氏名（顧客名）、住所、携帯電話番号、メールアドレス、クレジットカードやキャッシュカード等の磁気カード情報及び／またはＳｕｉｃａ等のＩＣカード情報等で構成される情報が含まれる。
【００２４】
画像データベース１７２は、ハードディスク等の大容量記憶装置であり、顧客ごとに、画像データと、画像情報管理テーブルとを保持する領域を持つ。図４は、画像管理テーブルの一例を示す図である。図４に示されるように、画像管理テーブルは、データフォーマットを持つデータ構造体である。画像管理テーブルは、テーブルＩＤと、保有している画像と、それぞれに対して、画像管理情報を持つ。テーブルＩＤは、図３の参照先画像管理テーブルＩＤと対応している。また、画像管理情報とは、画像の名称と、画像データが格納されているアドレス（画像データ格納アドレス）と、画像データサイズと、既に印刷済みかどうかの印刷ステータスとを持つ。
【００２５】
画像管理テーブルは、画像が画像データベース１７２にアップロードされた際に、画像サーバ１７０によって、新規登録され、印刷ステータスは未印刷となる。画像の印刷ステータスは、画像が印刷された時、画像サーバ１７０によって、印刷済みのステータスに変更される。印刷ステータスが未印刷状態である画像を以下では未印刷画像と呼ぶ。
【００２６】
認証データベース１７１、画像データベース１７２は、記憶装置の容量に特に制限はないが、ＧＢ（ギガバイト）、ＴＢ（テラバイト）単位の大容量であることが望ましい。
【００２７】
顧客端末１８０は、インターネット通信部を持つ一般的なパーソナルユーザ端末装置（ＰＣ）である。顧客は、顧客端末１８０を使用して画像サーバ１７０にアクセスし、顧客認証情報を入力することにより、本人による初期登録としての認証データを認証データベース１７１に登録できる。また、顧客は、顧客端末１８０で顧客認証情報を入力することにより、画像を画像データベース１７２にアップロードすることができる。
【００２８】
次に実施形態１における本システムの処理の流れを、シーケンス図と、フローチャートとを用いて説明する。図５は、店舗端末１１０、プリント装置１２０〜１２ｎ、携帯端末１６０、画像サーバ１７０の呼び出し手順に関する一例のシーケンス図である。図５中Ｓ５０１〜Ｓ５０４は各機器における処理を示し、（１）〜（４）は機器間におけるデータ通信を示している。また、図５中Ｐ１で示したシーケンス部分は未印刷画像データ読み込み処理で、Ｐ２で示したシーケンス部分はプリント通知処理である。
【００２９】
まず、顧客が店舗端末１１０の個人情報読み取り部２０８に、携帯端末１６０の顧客認証情報を読み込ませる（ステップ（１））。店舗端末１１０は読み込んだ顧客認証情報を画像サーバ１７０に送信する（ステップ（２））。なお、顧客とは、プリント通知サービスを受けるユーザのことを意味する。
【００３０】
認証サーバ１７０では、店舗端末１１０から送られてきた顧客認証情報を基に、認証データベース１７１から図３で示した顧客管理テーブルを検索する。次に、認証サーバ１７０では、顧客管理テーブルの該当する参照先画像管理テーブルＩＤを基に、画像データベース１７２から図４で示した画像管理テーブルを検索する。この処理は、参照先画像管理テーブルＩＤと一致するテーブルＩＤを探すことで実現できる。
【００３１】
次に認証サーバ１７０では、画像管理テーブルの中から未印刷画像を画像データベース１７２から読み込み、店舗端末１１０に送信する（ステップ（３））。データベース検索で該当データが検索できなかった場合や、未印刷画像が検索できなかった場合は、認証サーバ１７０は、ステップ（３）において、例えばＮＵＬＬを店舗端末１１０に送り、画像データがないことを示す。
【００３２】
次に、店舗端末１１０は、画像サーバ１７０から受信したデータを基に、プリント通知処理を行う（ステップＳ５０３）。図６は、ステップＳ５０３における店舗端末１１０の処理を示したフローチャートである。
【００３３】
まず、店舗端末１１０は、画像サーバ１７０から受信したデータを読み込み（ステップＳ６０１）、未印刷画像が存在するかどうか判定する（ステップＳ６０２）。未印刷画像が存在している場合、店舗端末１１０は、プリント装置１２０〜１２ｎの稼動状況を取得し（ステップＳ６０３）、ビジー状態であるかどうかを判定する（ステップＳ６０４）。例えば、店舗端末１１０は、ネットワーク１３０を介して、プリント装置１２０〜１２ｎに対して、稼働状況の問い合わせを行い、プリント装置１２０〜１２ｎから稼働状況を取得する。
【００３４】
ここで、ビジー状態とは、プリント装置１２０〜１２ｎが稼動中である、若しくはプリント装置１２０〜１２ｎにプリントジョブがたまっている状態である場合のことを示す。全てのプリント装置１２０〜１２ｎがビジー状態である場合には、店舗端末１１０は、通知を行わない。ビジー状態でないプリント装置があった場合には、店舗端末１１０は、通知部２０６により、顧客に未印刷画像が存在する旨の通知を行う（ステップＳ６０５）。
【００３５】
顧客への通知は、例えば、図７〜図９のように店舗端末１１０の画面に表示することにより、実現できる。このような顧客は、店舗端末１１０のタッチパネルを操作することにより、印刷を行うことができる。まず、図７に示されるような画像選択ボタン７０１を顧客が押下すると、店舗端末１１０は、画面を図８に示されるような画面に遷移させる。
【００３６】
図８の画面では、８０１のように、未印刷画像データが９分割マルチ画面にて表示される。８０２は、印刷対象の前頁を表示する場合に顧客が押下するボタンで、８０３は、印刷対象の次頁を表示する場合に顧客が押下するボタンである。表示すべきデータが一つも無い場合、店舗端末１１０は、ボタン８０２及びボタン８０３を無効化する。
【００３７】
顧客は９分割マルチ画面８０１の内、欲しい画像が表示されている画面部分を押下することで、印刷指定することができる。画像は複数選択することができ、８０４のＯＫボタンが顧客によって押下されると、店舗端末１１０は、画面を図９に示されるような画面に遷移させる。
【００３８】
次に、顧客は、図９に示される画面において印刷設定を行う。ボタン９０１は、印刷の種類を表すボタンであり、顧客は、カラー若しくはモノクロのどちらかを指定することができる。なお、デフォルトはカラーである。９０２は、印刷枚数を示すダイアログで、顧客は、ボタン９０３〜９０６を操作することにより、枚数を変更することができる。
【００３９】
ボタン９０３は印刷枚数マイナス１０枚、ボタン９０４は印刷枚数マイナス１枚、ボタン９０５は印刷枚数プラス１枚、ボタン９０６は印刷枚数プラス１０枚にするためのボタンである。印刷枚数のデフォルトは１枚で、１枚以上９９枚以下の指定をすることができる。顧客は選択した全ての画像に対して同様に、図９の画面において、印刷の種類と、印刷枚数とを設定する。
【００４０】
最後の画像に対して、顧客が印刷の種類と、印刷枚数とを設定し、ボタン９０７を押下すると、印刷情報と、指定された画像データとがビジー状態でないプリント装置１２０〜１２ｎに送信される（図５の（４））。そして、プリント装置で印刷が開始される（ステップＳ５０４）。ここで、印刷情報とは、指定された印刷の種類と、印刷枚数とのことを示す。ボタン７０２、若しくはボタン８０５、若しくはボタン９０８を押下された場合、プリントサービスは中止される。また、次の顧客による電子決済が開始されると、プリントサービスは中止される。
【００４１】
（実施形態２）
図１０は、実施形態２のプリント通知サービスシステムの一例を示すブロック図である。第１の実施形態の構成と異なる点は、図１における画像データベース１７２と、画像サーバ１７０の代わりに、携帯端末１６０の内部の画像保管領域１００１と、認証サーバ１００２とが設けられた点である。
【００４２】
画像保管領域１００１は、ハードディスク等の大容量記憶装置やコンパクトフラッシュ（登録商標）メモリカード等の着脱自在な固体メモリ等のことを指す。また、画像保管領域１００１は、内部に画像データと、画像管理テーブルとを保持する領域を持つ。画像管理テーブルとは、例えば、図４に示すような、データフォーマットである。画像管理テーブルは、テーブルＩＤと、保有している画像と、それぞれに対して、画像管理情報を持つ。
【００４３】
テーブルＩＤは、図３の参照先画像管理テーブルＩＤと対応している。また、画像管理情報は、画像の名称と、画像データが格納されているアドレス（画像データ格納アドレス）と、画像データサイズと、既に印刷済みかどうかの印刷ステータスとを持つ。撮影時や他の情報機器からの画像受信時等、画像保管領域１００１内に新規に画像が作成された際、携帯端末１６０によって、画像管理テーブルは作成され、印刷ステータスは未印刷となる。画像の印刷ステータスは、画像が印刷された時、若しくは情報機器端末（ＰＣ等）へダウンロードが行われた時、携帯端末１６０によって、印刷済みに変更される。
【００４４】
認証サーバ１００２は、インターネットとの通信部を持ち、認証データベース１７１を保有している。顧客は、顧客端末１８０若しくは携帯端末１６０により、認証サーバ１７０にアクセスし、顧客認証情報を入力することにより、本人による初期登録としての認証データを認証データベース１７１に登録できる。
【００４５】
以下、第１の実施形態における動作と異なる点についてのみ説明する。図１１は、実施形態２における店舗端末１１０、プリント装置１２０〜１２ｎ、携帯端末１６０、認証サーバ１１０２の呼び出し手順に関するシーケンス図である。図５のシーケンスと異なる点は、Ｐ１の未印刷画像データ読み込み処理部分である。以下、未印刷画像データ読み込み処理Ｐ１における動作について、図１１を用いて説明する。
【００４６】
認証サーバ１１０２は、顧客認証情報を受け取ると、認証データベース１７１から携帯端末情報を検索する（ステップＳ１１０１）。ここで携帯端末情報とは携帯電話番号、メールアドレス等の無線通信接続を行うために必要な情報のことである。認証サーバ１１０２は、店舗端末１１０に対し、検索した携帯端末情報を送信する（ステップ（５））。
【００４７】
店舗端末１１０は、受信した携帯端末情報を基に、携帯端末１６０との無線通信接続を開始する（ステップＳ１１０２）。無線接続はＢｅａｃｏｎ信号の確認による接続や、公衆回線端末を介する接続等の従来技術を用いることにより、実現することができる。接続が確立すると、携帯端末１６０は、画像保管領域１００１の画像管理テーブルの中から未印刷画像を読み込み（ステップＳ１１０３）、店舗端末１１０に送信する（ステップ（６））。データベース検索で該当データが検索できなかった場合や、未印刷画像が検索できなかった場合は、携帯端末１６０は、ステップ（６）において、例えばＮＵＬＬを店舗端末１１０に送り、画像データがないことを示す。この後、店舗端末１１０は、プリント通知処理を行う。プリント通知処理以降の処理は実施形態１と同様である。
【００４８】
（実施形態３）
本実施形態は、第１の実施形態に適用されるものである。第１の実施形態では、店舗端末１１０がプリント通知処理を行っているが、本実施形態では携帯端末１６０がプリント通知処理を行う点が、第１の実施形態とは異なる。
【００４９】
以下、第１の実施形態における動作と異なる点についてのみ説明する。図１２は、実施形態３における店舗端末１１０、プリント装置１２０〜１２ｎ、携帯端末１６０、画像サーバ１７０の呼び出し手順に関するシーケンス図である。図５のシーケンスと異なる点は、Ｐ２のプリント通知処理部分である。以下、プリント通知処理Ｐ２における動作について、図１２を用いて説明する。
【００５０】
画像サーバ１７０は、画像データベース１７２から印刷ステータスを検索した後（ステップＳ５０２）、未印刷画像データと、携帯端末情報とを店舗端末１１０に送信する（ステップ（７））。次に、店舗端末１１０は、画像サーバ１７０から受信したデータを基に無線通信判定を行う（ステップＳ１２０１）。図１３は、ステップＳ１２０１における店舗端末１１０の処理を示したフローチャートである。
【００５１】
まず、店舗端末１１０は、画像サーバ１７０から受信したデータを読み込み（ステップＳ１３０１）、未印刷画像が存在するかどうか判定する（ステップＳ１３０２）。未印刷画像が存在している場合、プリント装置１２０〜１２ｎの稼動状況を取得し（ステップＳ１３０３）、ビジー状態であるかどうかを判定する（ステップＳ１３０４）。全てのプリント装置１２０〜１２ｎがビジー状態である場合には店舗端末１１０は、無線通信を行わず、プリント通知サービスを終了する。ビジー状態でないプリント装置があった場合には、店舗端末１１０は、携帯端末１６０と無線通信を開始する（ステップＳ１３０５）。
【００５２】
店舗端末１１０は、携帯端末１６０と無線通信を確立すると、未印刷画像データを携帯端末１６０に送信する（ステップ（８））。次に携帯端末１６０は、顧客に未印刷画像データが存在する旨の通知を行う（ステップＳ１２０２）。前記通知は、携帯端末１６０のバイブレーションや着信音等による通知の他に、画面表示による通知も行う。前記画面表示は、例えば、図１４〜図１５のような画面を表示するアプリケーションを携帯端末１６０に組み込むことにより、実現することができる。
【００５３】
図１４において、１４０１は、未印刷画像データの９分割マルチ表示画面である。１４０２は、携帯端末上に表示されたＯＫボタンである。１４０３は、ＵＩ操作を行うための十字ボタンである。１４０４は、決定ボタンである。１４０５は、キャンセルを行うためのクリアボタンである。１４０６は、数字ボタンである。
【００５４】
顧客は、携帯端末１６０の十字ボタン１４０３を操作し、本人が印刷したい画像にカーソルを合わせ、決定ボタン１４０４を押下する。この操作によって、その画像を印刷指定することができる。ＯＫボタン１４０２にカーソルを合わせ、決定ボタン１４０４を押下するまで、顧客は画像を複数選択することができる。顧客が、ＯＫボタン１４０２上で決定ボタン１４０４を押下すると、携帯端末１６０は、画面を図１５に示される画面に遷移させる。なお、顧客が、クリアボタン１４０５を押下すると、携帯端末１６０は、印刷を行わず、終了する。
【００５５】
図１５に示される画面において、顧客は、印刷種類と、印刷の枚数とを指定する。１５０１は、印刷の種類を表し、顧客は、カラー若しくはモノクロのどちらかを指定することができる。また、１５０２は、印刷枚数を示すエディットボックスで、顧客は、数字を入力することにより、印刷枚数を指定することができる。印刷枚数のデフォルトは１枚で、１枚以上９９枚以下の指定が可能である。
【００５６】
顧客は選択した全ての画像に対して同様に、図１５の画面において、印刷の種類と、印刷枚数とを設定する。最後の画像に対して、顧客が、印刷種類と、印刷の枚数とを指定し、１５０３にカーソルを合わせ、決定ボタン１４０３を押下する。すると、印刷情報と、指定された画像データとが携帯端末１６０から店舗端末１１０に送られ、店舗端末１１０からプリント装置１２０〜１２ｎの何れかに送られる（ステップ（９））。プリント装置１２０〜１２ｎは受信したデータを基に、印刷を行う（ステップＳ５０４）。
【００５７】
（実施形態４）
本実施形態は、第２の実施形態に適用されるものである。第２の実施形態では、店舗端末１１０がプリント通知処理を行っているが、本実施形態では携帯端末１６０がプリント通知処理を行うという点で第２の実施形態とは異なる。
【００５８】
以下、第２の実施形態における動作と異なる点についてのみ説明する。図１６は、実施形態４における店舗端末１１０、プリント装置１２０〜１２ｎ、携帯端末１６０、認証サーバ１１０２の呼び出し手順に関するシーケンス図である。図１１のシーケンスと異なる点はＰ２のプリント通知処理部分である。以下、プリント通知処理Ｐ２における動作について、図１６を用いて説明する。
【００５９】
店舗端末１１０は、認証サーバ１１０２から携帯端末情報を受信すると（ステップ（５））、プリント装置の状態を確認し、全てのプリント装置がビジー状態ならば、プリント通知サービスを終了する。１つでも稼動可能なプリント装置があるならば、店舗端末１１０は、携帯端末１６０と無線接続を開始する（ステップＳ１６０２）。
【００６０】
携帯端末１６０は、店舗端末１１０との無線接続が確立されると、画像保管領域１００１の画像管理テーブルの中から未印刷画像を検索する（ステップＳ１６０３）。未印刷画像がある場合、携帯端末１６０は、プリント通知処理を行う（ステップＳ１６０４）。前記通知は、携帯端末１６０へのバイブレーションや着信音等による通知の他に、画面表示による通知も行う。前記画面表示は、実施形態３に示したように、例えば、図１４〜図１５のような画面を表示するアプリケーションを携帯端末１６０に組み込むことにより、実現することができる。なお、携帯端末１６０（又は画面）の操作方法については、実施形態３で示したものと同様である。
【００６１】
図１５において、顧客によって、決定ボタン１４０３が押下されると、印刷情報と、指定された画像データとが携帯端末１６０から店舗端末１１０に送られ、店舗端末１１０からプリント装置１２０〜１２ｎの何れかに送られる（図１６のステップ（１０））。プリント装置１２０〜１２ｎは、受信したデータを基に、印刷を行う（ステップＳ５０４）。
【００６２】
上述した各実施形態によれば、顧客に対し、印刷されていない画像データが存在することを気づかせることができる。特に、顧客がサービス拠点に出向く時間を確保できない等の理由で、印刷データがあることを忘れてしまった場合等に、非常に有益である。
【００６３】
また、通知が行われる際、印刷できるプリント装置が顧客の近くにあるため、顧客は即座に印刷することができる。このため、顧客は印刷していない画像データがあることを思い出した際、その場で印刷するかどうかを判断でき、顧客は再度サービス拠点探すことに時間を費やす煩わしさがない。
【００６４】
更に、顧客が本来印刷する予定ではなかった画像データに対し、印刷を促進することができるため、プリントサービス業者は印刷料金等による利益をあげることができるという効果もある。
【００６５】
以上、本発明の好ましい実施形態について詳述したが、本発明は係る特定の実施形態に限定されるものではなく、特許請求の範囲に記載された本発明の要旨の範囲内において、種々の変形・変更が可能である。なお、上述した各実施形態を、組み合わせて実施してもよい。
【図面の簡単な説明】
【００６６】
【図１】実施形態１のプリント通知サービスシステムの一例を示すブロック図である。
【図２】店舗端末１１０の内部構造の一例を示す図である。
【図３】顧客管理テーブルの一例を示す図である。
【図４】画像管理テーブルの一例を示す図である。
【図５】店舗端末１１０、プリント装置１２０〜１２ｎ、携帯端末１６０、画像サーバ１７０の呼び出し手順に関する一例のシーケンス図である。
【図６】ステップＳ５０３における店舗端末１１０の処理を示したフローチャートである。
【図７】店舗端末１１０に表示される画面の一例を示す図（その１）である。
【図８】店舗端末１１０に表示される画面の一例を示す図（その２）である。
【図９】店舗端末１１０に表示される画面の一例を示す図（その３）である。
【図１０】実施形態２のプリント通知サービスシステムの一例を示すブロック図である。
【図１１】実施形態２における店舗端末１１０、プリント装置１２０〜１２ｎ、携帯端末１６０、認証サーバ１１０２の呼び出し手順に関するシーケンス図である。
【図１２】実施形態３における店舗端末１１０、プリント装置１２０〜１２ｎ、携帯端末１６０、画像サーバ１７０の呼び出し手順に関するシーケンス図である。
【図１３】ステップＳ１２０１における店舗端末１１０の処理を示したフローチャートである。
【図１４】携帯端末１６０に表示される画面の一例を示す図（その１）である。
【図１５】携帯端末１６０に表示される画面の一例を示す図（その２）である。
【図１６】実施形態４における店舗端末１１０、プリント装置１２０〜１２ｎ、携帯端末１６０、認証サーバ１１０２の呼び出し手順に関するシーケンス図である。
【符号の説明】
【００６７】
１１０  店舗端末
１２０  プリント装置
１７０  画像サーバ
１６０  携帯端末
２０１  ＣＰＵ
２０２  ＲＯＭ
２０３  ＲＡＭ
２０４  無線通信部
２０５  ＮＩＣ
２０６  表示部
２０７  タッチパネル
２０８  個人情報読み取り部
【図１】
2007243319.tif 000003
【図２】
2007243319.tif 000004
【図３】
2007243319.tif 000005
【図４】
2007243319.tif 000006
【図５】
2007243319.tif 000007
【図６】
2007243319.tif 000008
【図７】
2007243319.tif 000009
【図８】
2007243319.tif 000010
【図９】
2007243319.tif 000011
【図１０】
2007243319.tif 000012
【図１１】
2007243319.tif 000013
【図１２】
2007243319.tif 000014
【図１３】
2007243319.tif 000015
【図１４】
2007243319.tif 000016
【図１５】
2007243319.tif 000017
【図１６】
2007243319.tif 000018